(57)【特許請求の範囲】
【請求項１】
物体側から順に、物体側に凸面を向けた負メニスカスレンズよりなる第１レンズ、像側に凸面を向けた正レンズよりなる第２レンズ、および物体側に凹面を向けた負レンズよりなる第３レンズからなる第１レンズ群と、
物体側から順に、両凸の正レンズよりなる第４レンズ、両凹の負レンズよりなる第５レンズ、および両凸の正レンズよりなる第６レンズからなり正の屈折力を有する第２レンズ群と、
物体側から順に、両凸の正レンズよりなる第７レンズ、および物体側に凹面を向けた負レンズよりなる第８レンズからなる第３レンズ群とを、物体側からこの順に配列してなり、
全ての前記レンズが、分散の差が０．００５５より小さい２種類以上のレンズ材料により構成され、
かつ、以下の条件式（１）〜（５）を満足するように構成され、カメラの結像レンズとして使用されることを特徴とする広角結像レンズ。
−０．８＜Ｆ／Ｆ１＜０．２      …（１）
０．２＜Ｆ２３／Ｆ２＜１．０    …（２）
０．３＜Ｆ／ｆａ＜１．０      …（３）
０．６＜｜Ｆ／ｆｂ｜＜１．５    …（４）
０．２＜Ｆ／ｆｃ＜１．０        …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ  ：第２レンズ群の物体側正レンズの焦点距離
ｆｂ  ：第２レンズ群の負レンズの焦点距離
ｆｃ  ：第２レンズ群の像側正レンズの焦点距離
【請求項２】
物体側から順に、物体側に凸面を向けた負メニスカスレンズよりなる第１レンズ、像側に凹面を向けた負レンズよりなる第２レンズ、像側に凸面を向けた正レンズよりなる第３レンズ、および物体側に凹面を向けた負レンズよりなる第４レンズからなる第１レンズ群と、
物体側から順に、両凸の正レンズよりなる第５レンズ、両凹の負レンズよりなる第６レンズ、および両凸の正レンズよりなる第７レンズからなり正の屈折力を有する第２レンズ群と、
物体側から順に、両凸の正レンズよりなる第８レンズ、および物体側に凹面を向けた負レンズよりなる第９レンズからなる第３レンズ群とを、物体側からこの順に配列してなり、
全ての前記レンズが、分散の差が０．００５５より小さい２種類以上のレンズ材料により構成され、
かつ、以下の条件式（１）〜（５）を満足するように構成され、カメラの結像レンズとして使用されることを特徴とする広角結像レンズ。
−０．８＜Ｆ／Ｆ１＜０．２      …（１）
０．２＜Ｆ２３／Ｆ２＜１．０    …（２）
０．３＜Ｆ／ｆａ＜１．０      …（３）
０．６＜｜Ｆ／ｆｂ｜＜１．５    …（４）
０．２＜Ｆ／ｆｃ＜１．０        …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ  ：第２レンズ群の物体側正レンズの焦点距離
ｆｂ  ：第２レンズ群の負レンズの焦点距離
ｆｃ  ：第２レンズ群の像側正レンズの焦点距離
【請求項３】
物体側から順に、物体側に凸面を向けた負メニスカスレンズよりなる第１レンズ、像側に凹面を向けた負レンズよりなる第２レンズ、像側に凸面を向けた正レンズよりなる第３レンズ、両凸の正レンズよりなる第４レンズ、および物体側に凹面を向けた負レンズよりなる第５レンズからなる第１レンズ群と、
物体側から順に、両凸の正レンズよりなる第６レンズ、両凹の負レンズよりなる第７レンズ、および両凸の正レンズよりなる第８レンズからなり正の屈折力を有する第２レンズ群と、
物体側から順に、両凸の正レンズよりなる第９レンズ、および物体側に凹面を向けた負レンズよりなる第１０レンズからなる第３レンズ群とを、物体側からこの順に配列してなり、
全ての前記レンズが、分散の差が０．００５５より小さい２種類以上のレンズ材料により構成され、
かつ、以下の条件式（１）〜（５）を満足するように構成され、カメラの結像レンズとして使用されることを特徴とする広角結像レンズ。
−０．８＜Ｆ／Ｆ１＜０．２      …（１）
０．２＜Ｆ２３／Ｆ２＜１．０    …（２）
０．３＜Ｆ／ｆａ＜１．０      …（３）
０．６＜｜Ｆ／ｆｂ｜＜１．５    …（４）
０．２＜Ｆ／ｆｃ＜１．０        …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ  ：第２レンズ群の物体側正レンズの焦点距離
ｆｂ  ：第２レンズ群の負レンズの焦点距離
ｆｃ  ：第２レンズ群の像側正レンズの焦点距離
【請求項４】
物体側から順に、物体側に凸面を向けた負メニスカスレンズよりなる第１レンズ、像側に凹面を向けた負レンズよりなる第２レンズ、像側に凸面を向けた正レンズよりなる第３レンズ、像側に凹面を向けた負レンズよりなる第４レンズ、および両凸の正レンズよりなる第５レンズからなる第１レンズ群と、
物体側から順に、両凸の正レンズよりなる第６レンズ、両凹の負レンズよりなる第７レンズ、および両凸の正レンズよりなる第８レンズからなり正の屈折力を有する第２レンズ群と、
物体側から順に、両凸の正レンズよりなる第９レンズ、および物体側に凹面を向けた負レンズよりなる第１０レンズからなる第３レンズ群とを、物体側からこの順に配列してなり、
全ての前記レンズが、分散の差が０．００５５より小さい２種類以上のレンズ材料により構成され、
かつ、以下の条件式（１）〜（５）を満足するように構成され、カメラの結像レンズとして使用されることを特徴とする広角結像レンズ。
−０．８＜Ｆ／Ｆ１＜０．２      …（１）
０．２＜Ｆ２３／Ｆ２＜１．０    …（２）
０．３＜Ｆ／ｆａ＜１．０      …（３）
０．６＜｜Ｆ／ｆｂ｜＜１．５    …（４）
０．２＜Ｆ／ｆｃ＜１．０        …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ  ：第２レンズ群の物体側正レンズの焦点距離
ｆｂ  ：第２レンズ群の負レンズの焦点距離
ｆｃ  ：第２レンズ群の像側正レンズの焦点距離
【請求項５】
前記各レンズを形成する材料の、波長３００〜８００ｎｍの光に対する光透過率が、該材料の厚さを１０ｍｍとしたときに、５０％以上であることを特徴とする請求項１〜４のうちいずれか１項記載の広角結像レンズ。
【請求項６】
前記各レンズを形成する材料が蛍石および石英からなり、前記第２レンズ群を構成するレンズのうち、前記２つの正レンズは蛍石から、前記負レンズは石英から各々形成されてなることを特徴とする請求項５記載の広角結像レンズ。
【発明の詳細な説明】
【０００１】
【発明の属する技術分野】
本発明は、ＣＣＤや撮像管等を用いたビデオカメラや銀塩フィルム上に被写体画像を形成するカメラ等の各種カメラに使用される広画角の結像レンズに関し、特に紫外線領域において使用する場合に好適な広角結像レンズに関する。
【０００２】
【従来の技術】
従来、紫外線領域において使用されるレンズでは、光透過率を良好なものとしようとすると、硝材が極めて限定され、結局蛍石や石英の結晶からなる硝材を用いる場合が大半であった。
【０００３】
このような限られた硝材を用いたレンズでは、レンズ形成材料の分散の差を大とすることが難しいことから色収差を低減することが難しく、また上記結晶の屈折率の低さからペッツバール和が大きくなる傾向にあるため、顕微鏡対物レンズのような画角の狭いレンズとして使用されることが多く、カメラ用のレンズとしては必ずしも適切とはいえなかった。さらに結晶構造によっては曲率半径の小さな面を精度良く形成することが難しく、また凸面しか研磨できないという問題もあり、収差補正をさらに難しくしていた。
これらの問題を改善するために、特開昭４８−３４５３１号公報に記載の結像レンズが知られている。
【０００４】
【発明が解決しようとする課題】
しかしながら、上記公報記載の結像レンズでは画角が２９度と従来のものに比べて広くなってはいるものの、必ずしも十分とはいえず、明るさの面でも不十分であり、さらに像面の補正も不十分である。また、色収差補正の面でも不十分であり、特に紫外線領域で補正不足となっている。
【０００５】
本発明はこのような事情に鑑みなされたもので、レンズ形成材料として、屈折率が低く、使用波長帯における分散の差が小さい複数の硝材を使用する場合において、画角が広く明るいレンズであって、色収差補正を良好なものとすることができるとともに、像面補正を十分になすことのできる広角結像レンズを提供することを目的とするものである。
【０００６】
【課題を解決するための手段】
上記目的を達成するために本発明の広角結像レンズは、物体側から順に、物体側に凸面を向けた負メニスカスレンズよりなる第１レンズ、像側に凸面を向けた正レンズよりなる第２レンズ、および物体側に凹面を向けた負レンズよりなる第３レンズからなる第１レンズ群と、
物体側から順に、両凸の正レンズよりなる第４レンズ、両凹の負レンズよりなる第５レンズ、および両凸の正レンズよりなる第６レンズからなり正の屈折力を有する第２レンズ群と、
物体側から順に、両凸の正レンズよりなる第７レンズ、および物体側に凹面を向けた負レンズよりなる第８レンズからなる第３レンズ群とを、物体側からこの順に配列してなるか、
または、物体側から順に、物体側に凸面を向けた負メニスカスレンズよりなる第１レンズ、像側に凹面を向けた負レンズよりなる第２レンズ、像側に凸面を向けた正レンズよりなる第３レンズ、および物体側に凹面を向けた負レンズよりなる第４レンズからなる第１レンズ群と、
物体側から順に、両凸の正レンズよりなる第５レンズ、両凹の負レンズよりなる第６レンズ、および両凸の正レンズよりなる第７レンズからなり正の屈折力を有する第２レンズ群と、
物体側から順に、両凸の正レンズよりなる第８レンズ、および物体側に凹面を向けた負レンズよりなる第９レンズからなる第３レンズ群とを、物体側からこの順に配列してなるか、
または、物体側から順に、物体側に凸面を向けた負メニスカスレンズよりなる第１レンズ、像側に凹面を向けた負レンズよりなる第２レンズ、像側に凸面を向けた正レンズよりなる第３レンズ、両凸の正レンズよりなる第４レンズ、および物体側に凹面を向けた負レンズよりなる第５レンズからなる第１レンズ群と、
物体側から順に、両凸の正レンズよりなる第６レンズ、両凹の負レンズよりなる第７レンズ、および両凸の正レンズよりなる第８レンズからなり正の屈折力を有する第２レンズ群と、
物体側から順に、両凸の正レンズよりなる第９レンズ、および物体側に凹面を向けた負レンズよりなる第１０レンズからなる第３レンズ群とを、物体側からこの順に配列してなるか、
または、物体側から順に、物体側に凸面を向けた負メニスカスレンズよりなる第１レンズ、像側に凹面を向けた負レンズよりなる第２レンズ、像側に凸面を向けた正レンズよりなる第３レンズ、像側に凹面を向けた負レンズよりなる第４レンズ、および両凸の正レンズよりなる第５レンズからなる第１レンズ群と、
物体側から順に、両凸の正レンズよりなる第６レンズ、両凹の負レンズよりなる第７レンズ、および両凸の正レンズよりなる第８レンズからなり正の屈折力を有する第２レンズ群と、
物体側から順に、両凸の正レンズよりなる第９レンズ、および物体側に凹面を向けた負レンズよりなる第１０レンズからなる第３レンズ群とを、物体側からこの順に配列してなる構成とされ、
全ての前記レンズが、分散の差が０．００５５より小さい２種類以上のレンズ材料により構成され、
かつ、以下の条件式（１）〜（５）を満足するように構成され、カメラの結像レンズとして使用されることを特徴とするものである。
−０．８＜Ｆ／Ｆ１＜０．２      …（１）
０．２＜Ｆ２３／Ｆ２＜１．０    …（２）
０．３＜Ｆ／ｆａ＜１．０      …（３）
０．６＜｜Ｆ／ｆｂ｜＜１．５    …（４）
０．２＜Ｆ／ｆｃ＜１．０        …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ  ：第２レンズ群の物体側正レンズの焦点距離
ｆｂ  ：第２レンズ群の負レンズの焦点距離
ｆｃ  ：第２レンズ群の像側正レンズの焦点距離
【０００７】
また、上記広角結像レンズにおいては、各レンズを形成する材料の、波長３００〜８００ｎｍの光に対する光透過率が、該材料の厚さを１０ｍｍとしたときに、５０％以上となるように設定するのが望ましい。
特に、上記各レンズを形成する材料を蛍石および石英とし、上記第２レンズ群を構成するレンズのうち、前記２つの正レンズは蛍石から、前記負レンズは石英から形成するのが望ましい。
【０００８】
なお、本願明細書において上記レンズを形成する材料の分散とは、以下のように表される。
レンズ材料の分散＝ＮＦ−ＮＣ
ただし、ＮＦ：Ｆ線（波長４８６．１３ｎｍ）に対するレンズ材料の屈折率
ＮＣ：Ｃ線（波長６５６．２７ｎｍ）に対するレンズ材料の屈折率
【０００９】
【発明の実施の形態】
以下、本発明の実施例について図面を用いて説明する。なお、以下に９つの実施例について具体的に説明するが、各実施例に各々対応する図面の説明において同一の要素については同一の符号を付し、重複する説明については省略する。
【００１０】
＜実施例１＞
この実施例１の広角結像レンズは、図１に示すように、物体側から、負の第１レンズＬ１  、正の第２レンズＬ２  および負の第３レンズＬ３  をこの順に配列してなる第１レンズ群と、
物体側から、正の第４レンズＬ４  、負の第５レンズＬ５  および正の第６レンズＬ６をこの順に配列してなる第２レンズ群と、
物体側から、正の第７レンズＬ７  および負の第８レンズＬ８  をこの順に配列してなる第３レンズ群が物体側からこの順に配列されてなり、
各レンズを形成する材料の分散の差が０．００５５より小さくなるように、かつ下記条件式を満足するように構成されてなる。
−０．８＜Ｆ／Ｆ１＜０．２                        …（１）
０．２＜Ｆ２３／Ｆ２＜１．０                  …（２）
０．３＜Ｆ／ｆａ＜１．０                        …（３）
０．６＜｜Ｆ／ｆｂ｜＜１．５              …（４）
０．２＜Ｆ／ｆｃ＜１．０                  …（５）
Ｆ    ：レンズ系全体の焦点距離
Ｆ１  ：第１レンズ群の焦点距離
Ｆ２  ：第２レンズ群の焦点距離
Ｆ２３  ：第２レンズ群と第３レンズ群の合成焦点距離
ｆａ    ：第２レンズ群の物体側正レンズの焦点距離
ｆｂ    ：第２レンズ群の負レンズの焦点距離
ｆｃ    ：第２レンズ群の像側正レンズの焦点距離
【００１１】
なお、物体側から光軸Ｘに沿って入射した光束は結像面１上の結像位置Ｐに結像される。また、レンズ系の結像面側には固体撮像素子のカバ−ガラス２が配されている。
ここで、第１レンズＬ１  は物体側に凸面を向けた負のメニスカスレンズ、第２レンズＬ２  は物体側に凹面を向けた正のメニスカスレンズ、第３レンズＬ３  および第８レンズＬ８は物体側に凹面を向けた負のメニスカスレンズ、第４レンズＬ４、第６レンズＬ６  および第７レンズＬ７  は結像面側に強い曲率の面を向けた両凸レンズ、第５レンズＬ５  は物体側に強い曲率の面を向けた両凹レンズである。
【００１２】
次に、上記条件式（１）〜（５）について説明する。
上記条件式（１）において、Ｆ／Ｆ１  が下限を下回ると、第１レンズ群の負のパワーが強まるので、第２レンズ群および第３レンズ群における収差補正にレンズ枚数を要する。一方、Ｆ／Ｆ１  が上限を上回ると、第１レンズ群の正のパワーが強まり、第２レンズ群および第３レンズ群の色収差補正が困難となり、またバックフォーカスも短くなる。そこで、本実施例においては、このＦ／Ｆ１  の値を表１０に示すように−０．４４に設定することで条件式（１）を満足させ、収差補正、特に色収差補正を良好とし、レンズ枚数の削減およびレンズの面精度の確保を可能としている。
【００１３】
また、この広角結像レンズにおいては、軸上光線高の低い第３レンズ群でペッツバール和の補正を行っているが、上記条件式（２）において、Ｆ２３／Ｆ２  が下限を下回り、第２レンズ群の正のパワーが弱まると、ペッツバール和が大きくなるので像面補正が難しくなり、また、第２レンズ群での色収差補正が不足する。一方、上限を上回り、第２レンズ群の正のパワーが強まると、バックフォーカスが短くなり、また面精度を出すことが難しくなる。そこで、本実施例においては、このＦ２３／Ｆ２  の値を表１０に示すように０．５６に設定することで条件式（２）を満足させ、収差補正、特に像面および色収差の補正を良好とし、さらに所定のバックフォ−カス長を確保している。
【００１４】
また、第２レンズ群は、主に色収差や球面収差を補正しているが、条件式（３），（４），（５）の上限を上回るとそのレンズのパワーが強くなり過ぎ、レンズ面の曲率半径が小さくなり過ぎるため、球面収差補正の良好性や面精度を確保することが難しくなる。一方、上記各条件式の下限を下回るとそのレンズのパワーが弱くなり過ぎるため、色収差の補正が不足する。そこで、本実施例においては、このＦ／ｆａ  、｜Ｆ／ｆｂ  ｜および｜Ｆ／ｆｃ  ｜の値を表１０に示すように、各々０．７５、１．２０および０．７０に設定することで条件式（３），（４），（５）を満足させ、収差補正、特に球面収差や色収差の補正を良好とし、さらにレンズの面精度の確保を可能としている。
【００１５】
また、紫外線領域の光透過率が良好な蛍石あるいは石英等の結晶をレンズ形成材料として用いることができるが、これらのような分散の差が小さいレンズ形成材料から各レンズを形成した場合であっても、諸収差を良好なものとすることができる。
また、各レンズを形成する材料として、波長３００〜８００ｎｍの光に対する光透過率が、該材料の厚さを１０ｍｍとしたときに、５０％以上となるようなものを選択しており、紫外線領域から可視光領域に亘り好適に使用可能なレンズとなっている。
【００１６】
次に、この実施例１における各レンズ面の曲率半径ｒ（ｍｍ）、各レンズの中心厚および各レンズ間の空気間隔ｄ（ｍｍ）、各レンズのｉ線における屈折率Ｎを下記表１に示す。
ただし、この表１および後述する表２〜９において、各記号ｒ，ｄ，Ｎに対応させた数字は物体側から順次増加するようになっている。
また、この実施例１における広角結像レンズのＦナンバおよび画角２ωは各々２．５７  および８１．０°である。
【００１７】
【表１】
0003547103.tif 000002
【００１８】
＜実施例２＞
実施例２の広角結像レンズについて図２を用いて説明する。
この実施例２の広角結像レンズは、上記実施例１の広角結像レンズとほぼ同様の８枚レンズ構成とされているが、主として、第１レンズＬ１  が両凹レンズとされ、第２レンズＬ２  が両凸レンズとされ、第８レンズＬ８  が両凹レンズとされている点で上記実施例１のものとは異なっている。
なお、前述した条件式（１）〜（５）は全て満足されており、各々の値は表１０に示す如く設定されている。
【００１９】
また、この実施例２における広角結像レンズのＦナンバおよび画角２ωは各々２．５４  および８０．８°である。
この実施例２における各レンズ面の曲率半径ｒ（ｍｍ）、各レンズの中心厚および各レンズ間の空気間隔ｄ（ｍｍ  ）および各レンズのｉ  線における屈折率Ｎ
を下記表２に示す。
【００２０】
【表２】
0003547103.tif 000003
【００２１】
＜実施例３＞
実施例３の広角結像レンズについて図３を用いて説明する。
この実施例３の広角結像レンズは、上記実施例２の広角結像レンズとほぼ同様のレンズ構成とされているが、主として、第１レンズ群が４枚のレンズＬ１  〜  Ｌ４  で構成されている点で上記実施例２のものとは異なっている。
なお、前述した条件式（１）〜（５）は全て満足されており、各々の値は表１０に示す如く設定されている。
【００２２】
また、この実施例３における広角結像レンズのＦナンバおよび画角２ωは各々２．４２および８３．６°である。
この実施例３における各レンズ面の曲率半径ｒ（ｍｍ）、各レンズの中心厚および各レンズ間の空気間隔ｄ（ｍｍ  ）および各レンズのｉ  線における屈折率Ｎ
を下記表３に示す。
【００２３】
【表３】
0003547103.tif 000004
【００２４】
＜実施例４＞
実施例４の広角結像レンズについて図４を用いて説明する。
この実施例４の広角結像レンズは、上記実施例２の広角結像レンズとほぼ同様の構成とされているが、主として、第１レンズ群が５枚のレンズ  Ｌ１  〜Ｌ５  から構成され、合計で１０枚のレンズとされている点で上記実施例２のものとは異なっている。
なお、前述した条件式（１）〜（５）は全て満足されており、各々の値は表１０に示す如く設定されている。
【００２５】
また、この実施例４における広角結像レンズのＦナンバおよび画角２ωは各々２．０５および８２．６°である。
この実施例４における各レンズ面の曲率半径ｒ（ｍｍ）、各レンズの中心厚および各レンズ間の空気間隔ｄ（ｍｍ  ）および各レンズのｉ  線における屈折率Ｎ
を下記表４に示す。
【００２６】
【表４】
0003547103.tif 000005
【００２７】
＜実施例５＞
実施例５の広角結像レンズについて図５を用いて説明する。
この実施例５の広角結像レンズは、上記実施例２の広角結像レンズとほぼ同様の構成とされているが、主として、第１レンズ群が５枚のレンズＬ１  〜Ｌ５  とバンドパスフィルタ３から構成されている点で上記実施例２のものとは異なっている。
なお、前述した条件式（１）〜（５）は全て満足されており、各々の値は表１０に示す如く設定されている。
【００２８】
また、この実施例５における広角結像レンズのＦナンバおよび画角２ωは各々２．０７および９２．８°である。
この実施例５における各レンズ面の曲率半径ｒ（ｍｍ）、各レンズの中心厚および各レンズ間の空気間隔ｄ（ｍｍ  ）および各レンズのｉ  線における屈折率Ｎ
を下記表５に示す。
【００２９】
【表５】
0003547103.tif 000006
【００３０】
＜実施例６＞
実施例６の広角結像レンズについて図６を用いて説明する。
この実施例６の広角結像レンズは、上記実施例５の広角結像レンズとほぼ同様の構成とされているが、主として、第４レンズＬ４  と第５レンズＬ５  の形状が上記実施例５のものとは異なっている。
なお、前述した条件式（１）〜（５）は全て満足されており、各々の値は表１０に示す如く設定されている。
【００３１】
また、この実施例６における広角結像レンズのＦナンバおよび画角２ωは各々２．０３および８５．０°である。
この実施例６における各レンズ面の曲率半径ｒ（ｍｍ）、各レンズの中心厚および各レンズ間の空気間隔ｄ（ｍｍ  ）および各レンズのｉ  線における屈折率Ｎ
を下記表６に示す。
【００３２】
【表６】
0003547103.tif 000007
【００３３】
＜実施例７＞
実施例７の広角結像レンズについて図７を用いて説明する。
この実施例７の広角結像レンズは、上記実施例５の広角結像レンズとほぼ同様のレンズ構成とされている。
なお、前述した条件式（１）〜（５）は全て満足されており、各々の値は表１０に示す如く設定されている。
【００３４】
また、この実施例７における広角結像レンズのＦナンバおよび画角２ωは各々２．５０および８３．８°である。
この実施例７における各レンズ面の曲率半径ｒ（ｍｍ）、各レンズの中心厚および各レンズ間の空気間隔ｄ（ｍｍ  ）および各レンズのｉ  線における屈折率Ｎ
を下記表７に示す。
【００３５】
【表７】
0003547103.tif 000008
【００３６】
＜実施例８＞
実施例８の広角結像レンズについて図８を用いて説明する。
この実施例８の広角結像レンズは、上記実施例４の広角結像レンズとほぼ同様の構成とされている。
なお、前述した条件式（１）〜（５）は全て満足されており、各々の値は表１０に示す如く設定されている。
【００３７】
また、この実施例８における広角結像レンズのＦナンバおよび画角２ωは各々２．０５および８３．４°である。
この実施例８における各レンズ面の曲率半径ｒ（ｍｍ）、各レンズの中心厚および各レンズ間の空気間隔ｄ（ｍｍ  ）および各レンズのｉ  線における屈折率Ｎ
を下記表８に示す。
【００３８】
【表８】
0003547103.tif 000009
【００３９】
＜実施例９＞
実施例９の広角結像レンズについて図９を用いて説明する。
この実施例９の広角結像レンズは、上記実施例８の広角結像レンズとほぼ同様のレンズ構成とされているが、主として、第３レンズＬ３  が凸面を結像面側に向けた正のメニスカスレンズとされている点で上記実施例８のものとは異なっている。
なお、前述した条件式（１）〜（５）は全て満足されており、各々の値は表１０に示す如く設定されている。
【００４０】
また、この実施例９における広角結像レンズのＦナンバおよび画角２ωは各々２．０５および７９．０°である。
この実施例９における各レンズ面の曲率半径ｒ（ｍｍ）、各レンズの中心厚および各レンズ間の空気間隔ｄ（ｍｍ  ）および各レンズのｉ  線における屈折率Ｎ
を下記表９に示す。
【００４１】
【表９】
0003547103.tif 000010
【００４２】
なお、実施例１〜９に対応させてその各収差図（球面収差、非点収差、歪曲収差および倍率色収差の収差図）を各々図１０〜１８に示す。なお、この収差図においてωは半画角を示す。これら図１０〜１８から明らかなように、上述した各実施例によれば、前述した各収差を全て良好なものとすることができる。
また、各球面収差図および各倍率色収差図においてはｉ線、ｇ線、ｄ線およびＣ線に対する収差が示されている。さらに、各非点収差図には、サジタル（Ｓ）像面およびタンジェンシャル（Ｔ）像面に対する収差が示されている。なお、球面収差、非点収差および倍率色収差におけるグラフ各線の説明を各図の所定位置に示す。
【００４３】
次に、図１９は、蛍石と石英の透過率特性を示すグラフである。本図には、該材料の他に、一般的なレンズ硝材であるＢＫ−７とＦ−２も示されている。本実施例で用いた蛍石や石英は、ともに紫外線領域における透過率が良好で、波長３００〜４００ｎｍにおいて厚さを１０ｍｍとしたときに、透過率が８０％以上とされる。また、図１９には示されていないが、波長４００〜８００ｎｍの光に対しても８０％以上の透過率を有している。実際には、波長３００〜８００ｎｍにおいて５０％以上の透過率を有していれば、紫外線領域から可視光領域まで好適に使用可能なレンズを構成することができる。
【００４４】
また、一般に、レンズ系を構成する数種のレンズ材料の分散の差が小さいほど色収差の補正は困難となる。レンズ材料として最も一般的なＢＫ−７とＦ−２の分散の差は０．００９０程度であるが、分散の差が０．００５５より小さくなると色収差の補正は非常に難しくなる。
本実施例で用いた蛍石（分散＝０．００４５６７）と石英（分散＝０．００６７６０）にあっても、その分散の差は約０．００２２と極めて小さい。しかし、本実施例の広角結像レンズは、このような色収差補正が困難な条件下においても、十分良好に色収差を補正することができ、なおかつ、他の諸収差も良好に補正することができ、優れた特性を示している。
【００４５】
なお、本発明の広角結像レンズとしては、上記実施例のものに限られるものではなく種々の態様の変更が可能であり、例えば各レンズの曲率ｒおよびレンズ間隔（もしくはレンズ厚）ｄを適宜変更することが可能である。また、必要に応じてレンズ系内に明るさ絞りを配することも勿論可能であり、例えば、第２レンズ群の直前に配するようにする。
なお、本発明の広角結像レンズに使用できるレンズ材料は蛍石や石英に限られるものではなく、他のレンズ材料であっても、条件式（１）〜（５）を満足するとともに、分散の差が０．００５５より小さい複数種類のレンズ材料を用いて良好に諸収差を補正することができる。
【００４６】
【表１０】
0003547103.tif 000011
【００４７】
【発明の効果】
以上、詳細に説明したように、本発明の広角結像レンズによれば、分散の差が小さいレンズ材料を用いながらも、明るく、広い画角を有するものとすることができる。また、色収差補正を良好とすることができ、さらにペッツバール和も十分低く抑えて像面の補正を良好とすることができるので、諸収差が良好に補正されたものとすることができる。
これにより、紫外線領域における透過率が良好ではあるが、分散の差が小さいレンズ材料、例えば、石英と蛍石を用いても、良好な特性を示す広角結像レンズを形成することができる。
【図面の簡単な説明】
【図１】本発明の実施例１に係るレンズ基本構成を示す概略図
【図２】本発明の実施例２に係るレンズ基本構成を示す概略図
【図３】本発明の実施例３に係るレンズ基本構成を示す概略図
【図４】本発明の実施例４に係るレンズ基本構成を示す概略図
【図５】本発明の実施例５に係るレンズ基本構成を示す概略図
【図６】本発明の実施例６に係るレンズ基本構成を示す概略図
【図７】本発明の実施例７に係るレンズ基本構成を示す概略図
【図８】本発明の実施例８に係るレンズ基本構成を示す概略図
【図９】本発明の実施例９に係るレンズ基本構成を示す概略図
【図１０】実施例１に係るレンズの各収差図
【図１１】実施例２に係るレンズの各収差図
【図１２】実施例３に係るレンズの各収差図
【図１３】実施例４に係るレンズの各収差図
【図１４】実施例５に係るレンズの各収差図
【図１５】実施例６に係るレンズの各収差図
【図１６】実施例７に係るレンズの各収差図
【図１７】実施例８に係るレンズの各収差図
【図１８】実施例９に係るレンズの各収差図
【図１９】蛍石および石英の光透過率を示すグラフ
【符号の説明】
Ｌ１  〜Ｌ１０      レンズ
ｒ１  〜ｒ２４      レンズ面、バンドパスフィルタ面およびカバ−ガラス面の
曲率半径
ｄ１  〜ｄ２３      レンズ面間隔（レンズ厚）
Ｘ              光軸
Ｐ              結像位置
１                      結像面
２                      カバ−ガラス
３                      バンドパスフィルタ
【図１】
0003547103.tif 000012
【図２】
0003547103.tif 000013
【図３】
0003547103.tif 000014
【図４】
0003547103.tif 000015
【図５】
0003547103.tif 000016
【図６】
0003547103.tif 000017
【図７】
0003547103.tif 000018
【図８】
0003547103.tif 000019
【図９】
0003547103.tif 000020
【図１０】
0003547103.tif 000021
【図１１】
0003547103.tif 000022
【図１２】
0003547103.tif 000023
【図１３】
0003547103.tif 000024
【図１４】
0003547103.tif 000025
【図１５】
0003547103.tif 000026
【図１６】
0003547103.tif 000027
【図１７】
0003547103.tif 000028
【図１８】
0003547103.tif 000029
【図１９】
0003547103.tif 000030